(57)【特許請求の範囲】
【請求項１】
住戸内に設置され非常事態を検知するセキュリティセンサと、住戸内に設置され前記セキュリティセンサから検知信号を受信するインターホン親機と、住戸外に設置され前記インターホン親機との間で通信を行うドアホン子器とを備え、セキュリティセンサには火災を検知する火災警報器並びにドアや窓などからの不審者の侵入を検知する防犯センサが含まれるインターホンシステムであって、
前記インターホン親機は、前記セキュリティセンサから前記検知信号を受信する検知信号受信手段と、前記検知信号受信手段で受信された前記検知信号を用いて非常事態を検知した前記セキュリティセンサの種別を判別する判別手段と、前記検知信号受信手段で前記検知信号が受信されると判別手段の判別結果に応じた情報を前記ドアホン子器に送信する親機側通信手段とを有し、
前記ドアホン子器は、前記インターホン親機から前記情報を受信する子器側通信手段と、前記子機側通信手段で受信される前記情報に基づいてセキュリティセンサの種別に応じた音声メッセージを出力する報知手段と、人に操作される呼出釦とを有し、前記報知手段は、前記情報が前記子機側通信手段で受信されると警報音を出力し、警報音の出力後に前記呼出釦が操作された場合に前記音声メッセージを出力することを特徴とするインターホンシステム。
【請求項２】
前記インターホン親機は、セキュリティセンサの種別に応じた音声メッセージを記憶する記憶手段と、前記検知信号受信手段で前記検知信号が受信されると判別手段で判別されたセキュリティセンサの種別に対応する音声メッセージを記憶手段から読み出して当該音声メッセージデータを前記情報として前記ドアホン子器に送信する前記親機側通信手段とを有することを特徴とする請求項１記載のインターホンシステム。
【発明の詳細な説明】
【技術分野】
【０００１】
本発明は、インターホンシステムに関するものである。
【背景技術】
【０００２】
従来のインターホンシステムとして、特許文献１には、玄関先に設置されたドアホン子器と、住戸内に設置された住宅情報盤と、住戸内に設置された防災センサー（セキュリティセンサ）とを各住戸ごとに備え、さらに管理人室などに設置され各住戸のドアホン子器と信号の送受信を行う防災受信機を備える集合住宅用監視通話システムが開示されている。特許文献１の集合住宅用監視通話システムでは、ある住戸で火災が発生して、この住戸に設置された防災センサが発報すると、この住戸の玄関先に設置されたドアホン子器の火災表示灯が点灯するとともに、ドアホン子器からの発報信号によって防災受信機が警報通知を行い、さらに防災受信機からの発報移報信号によって、警報報知を必要とする他の住戸のドアホン子器も警報音を出力する。
【０００３】
また、従来のインターホンシステムの他の例として、戸建住宅に設置され、住戸内の火災警報器（セキュリティセンサ）が火災を検知したときに、住戸外に設置されたドアホン子器から警報音を出力するものも、種々開発されている。
【先行技術文献】
【特許文献】
【０００４】
【特許文献１】特許第２８１８９１２号公報（段落００１０及び図１，２）
【発明の概要】
【発明が解決しようとする課題】
【０００５】
しかしながら、従来のインターホンシステムには、住戸で非常事態が発生したときに、ドアホン子器から出力された警報音に住戸外の人（例えば近隣住人など）が気付いても、どのような非常事態が発生したのかが判らないために、その後の対応に困るという問題があった。
【０００６】
本発明は上記の点に鑑みて為されたものであり、その目的は、非常事態に対して住戸外の人に迅速な対応をさせることができるインターホンシステムを提供することにある。
【課題を解決するための手段】
【０００７】
請求項１の発明は、上記目的を達成するために、住戸内に設置され非常事態を検知するセキュリティセンサと、住戸内に設置され前記セキュリティセンサから検知信号を受信するインターホン親機と、住戸外に設置され前記インターホン親機との間で通信を行うドアホン子器とを備え、セキュリティセンサには火災を検知する火災警報器並びにドアや窓などからの不審者の侵入を検知する防犯センサが含まれるインターホンシステムであって、前記インターホン親機は、前記セキュリティセンサから前記検知信号を受信する検知信号受信手段と、前記検知信号受信手段で受信された前記検知信号を用いて非常事態を検知した前記セキュリティセンサの種別を判別する判別手段と、前記検知信号受信手段で前記検知信号が受信されると判別手段の判別結果に応じた情報を前記ドアホン子器に送信する親機側通信手段とを有し、前記ドアホン子器は、前記インターホン親機から前記情報を受信する子器側通信手段と、前記子機側通信手段で受信される前記情報に基づいてセキュリティセンサの種別に応じた音声メッセージを出力する報知手段と、人に操作される呼出釦とを有し、前記報知手段は、前記情報が前記子機側通信手段で受信されると警報音を出力し、警報音の出力後に前記呼出釦が操作された場合に前記音声メッセージを出力することを特徴とする。
【０００８】
請求項２の発明は、請求項１の発明において、前記インターホン親機は、セキュリティセンサの種別に応じた音声メッセージを記憶する記憶手段と、前記検知信号受信手段で前記検知信号が受信されると判別手段で判別されたセキュリティセンサの種別に対応する音声メッセージを記憶手段から読み出して当該音声メッセージデータを前記情報として前記ドアホン子器に送信する前記親機側通信手段とを有することを特徴とする。
【発明の効果】
【０００９】
本発明によれば、セキュリティセンサによる非常事態の検知に対して住戸外の人に迅速な対応をさせることができる。
【図面の簡単な説明】
【００１０】
【図１】実施形態のインターホンシステムの構成を示すブロック図である。
【図２】同上のインターホンシステムを留守モードに設定するためのフローチャートである。
【図３】同上のインターホンシステムの留守モードでの動作を説明するフローチャートである。
【図４】同上のインターホンシステムにおいて火災が検知されたとき動作を説明するフローチャートである。
【図５】同上のインターホンシステムにおいて警報音の出力後の動作を説明するフローチャートである。
【図６】同上のインターホンシステムにおいて警報音の出力後に呼出釦が操作されたときの動作を説明するフローチャートである。
【発明を実施するための形態】
【００１１】
本実施形態のインターホンシステムは、図１に示すように火災を検知する火災警報器１と、不審者の侵入を検知する防犯センサ２と、助けを求めたいときに家人によって押操作される非常押釦３と、火災警報器１、防犯センサ２及び非常押釦３から後述の検知信号を受信するインターホン親機４と、インターホン親機４との間で通信を行うドアホン子器５とを備えている。本実施形態のインターホンシステムにおいて、火災警報器１、防犯センサ２、非常押釦３及びインターホン親機４は住戸内に設置され、ドアホン子器５は住戸外に設置されている。なお、火災警報器１、防犯センサ２及び非常押釦３のそれぞれは、非常事態を検知するセキュリティセンサである。
【００１２】
火災警報器１は住宅用火災警報器であり、火災発生による熱及び煙の少なくとも一方を検知すると火災発生と判断し、警報音を出力（鳴動）するとともに、インターホン親機４に検知信号を出力する。
【００１３】
防犯センサ２は、窓やドアなどに取り付けられ、不審者の侵入を検知すると、インターホン親機４に検知信号を出力する。
【００１４】
非常押釦３は、家人が例えば体調悪化などで助けを求めるときに押操作されるものであり、押操作されるとインターホン親機４に検知信号を送信する。
【００１５】
火災警報器１、防犯センサ２及び非常押釦３のそれぞれの検知信号は、信号線Ｌｓに方形波のパルス電圧を印加することでインターホン親機４に送信される。火災警報器１、防犯センサ２及び非常押釦３には、それぞれ異なるＩＤが割り当てられており、火災警報器１、防犯センサ２及び非常押釦３から送信される検知信号には、インターホン親機４側で送信元を認識できるように、割り当てられたＩＤが含まれている。
【００１６】
続いて、インターホン親機４について説明する。インターホン親機４は、ドアホン子器５との間で通話並びに音声信号及び音信号の送受信を行う通話回路４０と、音声及び音を出力するためのスピーカ４１と、ドアホン子器５との通話時に音声を入力するためのマイクロホン４２と、ドアホン子器５からの呼出信号を検知する呼出検知回路４３と、通話可能にするときに操作される通話釦４４と、後述の留守モードに設定するときに操作される留守釦４５と、留守モードに設定されると点灯する留守ランプ４６と、火災警報器１、防犯センサ２及び非常押釦３から検知信号を受信すると警報信号を出力するアラームユニット（検知信号受信手段）６０と、呼出検知回路４３で呼出信号が検知されるとチャイム音を出力するチャイム音発生回路６１と、予め登録された複数のメッセージを記憶し呼出検知回路４３で呼出信号が受信されると所定のメッセージを出力するメッセージ回路（記憶手段）６２と、通話回路４０及びスピーカ４１をアラームユニット６０、チャイム音発生回路６１、メッセージ回路６２の何れかに切替接続する切替器６３と、インターホン親機４の各部を制御する信号処理部（ＣＰＵ）６４とを備えている。
【００１７】
チャイム音発生回路６１は、チャイム音（ピンポン音）の音声データとしてチャイム音データを記憶し、信号処理部６４の制御によって、チャイム音データを切替器６３に出力する。
【００１８】
メッセージ回路６２には、「ただいま留守にしております。」という留守メッセージや「ＸＸＸ−ＸＸＸ−ＸＸＸＸ（電話番号）に連絡してください。」という連絡先メッセージの他、火災警報器１に対応する「火災発生です。」という種別メッセージ、防犯センサ２に対応する「不審者が侵入しました。」という種別メッセージ及び非常押釦３に対応する「助けてください。」という種別メッセージが予め登録され、それぞれの音声データである留守メッセージデータ及び連絡先メッセージデータ、種別メッセージデータが記憶されている。上記留守メッセージデータ及び連絡先メッセージデータ、種別メッセージデータは、信号処理部６４の制御によって、メッセージ回路６２から切替器６３に出力される。
【００１９】
通話回路４０は、ドアホン子器５との通話において、マイクロホン４２から入力された音声の音声データをドアホン子器５の通話回路５０に出力する一方、通話回路５０からの音声データをスピーカ４１から音声出力させる。また、通話回路４０は、切替器６３からの警報信号、チャイム音データ、留守メッセージデータ及び連絡先メッセージデータ、種別メッセージデータを通話回路５０に送信する。この通話回路４０は呼出検知回路４３とともに親機側通信手段を構成している。
【００２０】
信号処理部６４は、通常モードと留守モードを切替可能とし、家人が在宅中は通常モードに設定され、家人が外出するときに留守モードに設定される。ただし、家人が在宅中であっても体調不良のために来客者の応対ができないときも留守モードに設定される。
【００２１】
通常モード時に呼出検知回路４３で呼出信号が検知されると、信号処理部６４は、切替器６３をチャイム音発生回路６１側に切り替えて、チャイム音発生回路６１と通話回路４０及びスピーカ４１とを接続し、チャイム音発生回路６１から切替器６３を介して通話回路４０及びスピーカ４１にチャイム音データを出力させる。その後、所定時間内（例えば１分間）に通話釦４４が操作されると、信号処理部６４は、切替器６３を通話回路４０とスピーカ４１とが接続されるように切り替えて、ドアホン子器５との通話を開始させる。一方、所定時間内に通話釦４４が操作されなかった場合、信号処理部６４はリセットし、呼出検知回路４３で呼出信号が検知される前の状態に戻る。
【００２２】
これに対して、留守モード時に呼出検知回路４３で呼出信号が検知されると、信号処理部６４は、通常モード時と同様にチャイム音データを出力させた後、切替器６３をメッセージ回路６２側に切り替えて、メッセージ回路６２と通話回路４０及びスピーカ４１とを接続し、メッセージ回路６２から切替器６３を介して通話回路４０及びスピーカ４１に留守メッセージデータを出力させる。
【００２３】
アラームユニット６０は、上記のような留守モード時に検知信号を受信したときに、検知信号に含まれているＩＤ情報から、火災警報器１、防犯センサ２及び非常押釦３の何れからの検知信号であるのかを判断し、非常事態の種別（火災発生、不審者の侵入、救助依頼）を判別する。判別結果は、アラームユニット６０から信号処理部６４に出力される。
【００２４】
信号処理部６４は、留守モード時にアラームユニット６０で検知信号が受信されると、アラームユニット６０から判別結果が入力され、警報信号を出力させた後、呼出検知回路４３で呼出信号が検知されると、切替器６３をメッセージ回路６２側に切り替えて、メッセージ回路６２と通話回路４０及びスピーカ４１とを接続し、判別結果に基づく種別メッセージデータをメッセージ回路６２から切替器６３を介して通話回路４０及びスピーカ４１に出力させる。つまり、信号処理部６４は、アラームユニット６０が火災発生と判別したとき、メッセージ回路６２から「火災発生です。」の種別メッセージデータを出力させ、不審者の侵入と判別したとき、「不審者が侵入しました。」の種別メッセージデータを出力させ、救助依頼と判別したとき、「助けてください。」の種別メッセージデータを出力させる。種別メッセージデータの出力後に、連絡先メッセージデータが出力される。なお、種別メッセージデータと連絡先メッセージデータの出力順序は逆であってもよい。
【００２５】
続いて、ドアホン子器５について説明する。ドアホン子器５は、インターホン親機４との間で通話並びに音声データ及び信号の送受信を行う通話回路５０と、音声及び音を出力するためのスピーカ（報知手段）５１と、インターホン親機４との通話時に音声を入力するためのマイクロホン５２と、呼出釦５３と、呼出釦５３が操作されるとインターホン親機４に呼出信号を送信する呼出信号回路５４と、インターホン親機４からランプ点灯信号を受信すると点灯する警報ランプ５５とを備えている。
【００２６】
通話回路５０は、インターホン親機４との通話において、マイクロホン５２から入力された音声の音声データをインターホン親機４の通話回路４０に出力する一方、通話回路４０からの音声データをスピーカ５１から音声出力させる。また、通話回路５０は、インターホン親機４から警報信号、チャイム音データ、留守メッセージデータ及び連絡先メッセージデータ、種別メッセージデータを受信する。
【００２７】
スピーカ５１は、通話回路５０で警報信号が受信されると警報音を出力し、通話回路５０でチャイム音データ、留守メッセージデータ又は連絡先メッセージデータ、種別メッセージデータが受信されると、チャイム音、留守メッセージ又は連絡先メッセージ、種別メッセージを音声出力する。
【００２８】
次に、本実施形態のインターホンシステムにおいて留守モードでの動作について図２，３を用いて説明する。まず、図２に示すように、外出前の家人によってインターホン親機４の留守釦４５が操作されると（Ｓ１）、信号処理部（ＣＰＵ）６４は通常モードから留守モードに切り替えて、留守ランプ４６を点灯させる（Ｓ２）。これにより、インターホンシステムは留守モードに設定される。なお、家人が帰宅したときに留守釦４５が操作されると、信号処理部６４は留守モードから通常モードに切り替えて、留守ランプ４６を消灯させる。
【００２９】
留守モードに設定されているときに、図３に示すように、ドアホン子器５の呼出釦５３が操作されると（Ｓ１１）、呼出信号回路５４がインターホン親機４に呼出信号を送信する（Ｓ１２）。インターホン親機４では、呼出検知回路４３で呼出信号が検知されると（Ｓ１３）、信号処理部６４が切替器６３をチャイム音発生回路６１側に切り替えて、チャイム音発生回路６１からのチャイム音データを通話回路４０及びスピーカ４１に出力させる（Ｓ１４）。その後、チャイム音がスピーカ４１から音声出力される（Ｓ１５）。また、チャイム音データは通話回路４０からドアホン子器５に送信される。ドアホン子器５では、通話回路５０がチャイム音データを受信し、チャイム音がスピーカ５１から音声出力される（Ｓ１６）。その後、インターホン親機４では、信号処理部６４が切替器６３をメッセージ回路６２側に切り替えて（Ｓ１７）、メッセージ回路６２が留守メッセージデータを通話回路４０及びスピーカ４１に出力する（Ｓ１８）。その後、留守メッセージがスピーカ４１から音声出力される（Ｓ１９）。また、留守メッセージデータは通話回路４０からドアホン子器５に送信される。ドアホン子器５では、通話回路５０が留守メッセージデータを受信し、留守メッセージがスピーカ５１から音声出力される（Ｓ２０）。
【００３０】
次に、留守モードに設定されているときに火災が発生した場合の動作について図４〜６を用いて説明する。図４に示すように、火災警報器１が火災を検知すると（Ｓ２１）、火災警報器１からインターホン親機４に検知信号が送信される（Ｓ２２）。インターホン親機４では、アラームユニット６０が検知信号を受信すると、信号処理部６４が切替器６３をアラームユニット６０側に切り替えるとともに、警報ランプ回路６５からランプ点灯信号をドアホン子器５に出力させる（Ｓ２３）。アラームユニット６０が警報信号を通話回路４０及びスピーカ４１に出力し（Ｓ２４）、警報音がスピーカ４１から出力される（Ｓ２５）。また、警報信号は通話回路４０からドアホン子器５に送信される。ドアホン子器５では、通話回路５０が警報信号を受信し、警報音がスピーカ５１から出力され、警報ランプ５５がランプ点灯信号を受信して点灯する（Ｓ２６）。
【００３１】
上記のような状態（以下「火災警報通知状態」という。）において、図５に示すように、インターホン親機４では、信号処理部６４が一定時間（例えば２分間）、警報音がスピーカ４１から出力されたことを認識すると（Ｓ３１）、アラームユニット６０が警報信号の出力を停止する（Ｓ３２）。上記より、スピーカ４１からの警報音は停止する。ただし、警報ランプ回路６５はそのままランプ点灯信号を送信している。また、ドアホン子器５のスピーカ５１からの警報音も停止する（Ｓ３３）。ただし、警報ランプ５５はそのまま点灯している。なお、この状態（以下「火災警報通知後状態」という。）では、火災警報器１は復旧していない。
【００３２】
火災警報通知状態（図４）又は火災警報通知後状態（図５）において、図６に示すように、住戸外の人によってドアホン子器５の呼出釦５３が操作されると（Ｓ４１）、呼出信号回路５４がインターホン親機４に呼出信号を送信する（Ｓ４２）。インターホン親機４では、呼出検知回路４３で呼出信号が検知されると（Ｓ４３）、信号処理部６４は既に非常事態を認識しているので、切替器６３をメッセージ回路６２側に切り替える（Ｓ４４）。メッセージ回路６２は火災警報器１に対応する「火災発生です。」の種別メッセージデータを通話回路４０及びスピーカ４１に出力する（Ｓ４５）。そして、種別メッセージがスピーカ４１から音声出力される。続いて、メッセージ回路６２から通話回路４０及びスピーカ４１に連絡先メッセージデータが出力される（Ｓ４６）。その後、連絡先メッセージがスピーカ４１から音声出力される（Ｓ４７）。また、種別メッセージデータ並びに連絡先メッセージデータは通話回路４０からドアホン子器５に送信される。ドアホン子器５では、通話回路５０が種別メッセージデータ並びに連絡先メッセージデータを受信し、種別メッセージ及び連絡先メッセージがスピーカ５１から音声出力される（Ｓ４８）。
【００３３】
なお、本実施形態のインターホンシステムにおいて、留守モードに設定されているときに防犯センサ２が不審者の侵入を検知した場合及び家人の体調が悪化して非常押釦３が押操作された場合の動作は、火災警報器１が火災を検知した場合の動作と同様である。防犯センサ２が不審者の侵入を検知すると、インターホン親機４及びドアホン子器５の各スピーカ４１，５１から、防犯センサ２に対応する「不審者が侵入しました。」という種別メッセージが連絡先メッセージとともに音声出力される。また、非常押釦３が押操作されると、インターホン親機４及びドアホン子器５の各スピーカ４１，５１から、非常押釦３に対応する「助けてください。」という種別メッセージが連絡先メッセージとともに音声出力される。
【００３４】
以上、本実施形態によれば、火災警報器１、防犯センサ２又は非常押釦３が非常事態を検知したときに、ドアホン子器５から住戸外に火災警報器１、防犯センサ２又は非常押釦３による非常事態の種別を連絡先とともに報知することによって、ドアホン子器５の前にいる住戸外の人に連絡先への連絡を促すことができるので、火災警報器１、防犯センサ２又は非常押釦３による非常事態の検知に対して住戸外の人に迅速な対応をさせることができる。例えば、連絡先が家人の携帯電話の電話番号である場合、家人の留守中に非常事態が検知されても、連絡先を知った住戸外の人が留守中の家人に知らせることができる。
【００３５】
また、住戸外の人がドアホン子器５の呼出釦５３を操作したときにドアホン子器５から住戸外に非常事態の種別と連絡先を報知することによって、必要なときにだけ非常事態の種別と連絡先を報知することができるので、連絡先の情報が無関係の人に漏洩されることを防止することができる。
【符号の説明】
【００３６】
１  火災警報器
２  防犯センサ
３  非常押釦
４  インターホン親機
４０  通話回路
４３  呼出検知回路
５  ドアホン子器
５０  通話回路
５１  スピーカ
５３  呼出釦
５４  呼出信号回路
６０  アラームユニット
６２  メッセージ回路
【図１】
0005060518.tif 000002
【図２】
0005060518.tif 000003
【図３】
0005060518.tif 000004
【図４】
0005060518.tif 000005
【図５】
0005060518.tif 000006
【図６】
0005060518.tif 000007